(57)【要約】【課題】絞り羽根の絞り量を大きくできるようにし、コントラストの向上を可能とする。【解決手段】光源からの光を通過させるための開口部１１１ａが形成された絞りベース１１１と、開口部１１１ａを通過する光の光軸１０１に直交する方向に移動可能に設けられ、開口部１１１ａよりも小さい絞り開口１１６を形成するための絞り羽根１１２，１１３等の複数の絞り羽根と、複数の絞り羽根を移動させて絞り開口１１６の開口量を増減させる絞り羽根駆動モータ１１４と、絞りベース１１１との間に絞り羽根１１２，１１３を収容した羽根室１１８を形成する絞りカバー１１５とを備え、羽根室１１８は、羽根室１１８内の熱を外部に逃がすための通気穴１１９を有する。【選択図】図４
2011221358.tif 000002
【特許請求の範囲】
【請求項１】
光源からの光を通過させるための開口部が形成された絞りベースと、
前記開口部を通過する光の光軸に直交する方向に移動可能に設けられ、前記開口部よりも小さい絞り開口を形成するための絞り羽根と、
前記絞り羽根を移動させて前記絞り開口の開口量を増減させる絞り羽根駆動手段と、
前記絞りベースとの間に前記絞り羽根を収容した羽根室を形成する絞りカバーと
を備え、
前記羽根室は、前記羽根室内の熱を外部に逃がすための通気穴を有する
光量調整装置。
【請求項２】
請求項１に記載の光量調整装置において、
前記通気穴は、前記開口部を通過する光の光軸に対して垂直又は平行な方向に設けられている
光量調整装置。
【請求項３】
請求項１に記載の光量調整装置において、
前記羽根室内の熱を強制的に外部に逃がして前記絞り羽根を冷却する強制冷却手段を備える
光量調整装置。
【請求項４】
光源からの光を通過させるための開口部が形成された絞りベースと、
前記開口部を通過する光の光軸に直交する方向に移動可能に設けられ、前記開口部よりも小さい絞り開口を形成するための絞り羽根と、
前記絞り羽根を移動させて前記絞り開口の開口量を増減させる絞り羽根駆動手段と、
前記絞りベースとの間に前記絞り羽根を収容した羽根室を形成する絞りカバーと、
前記絞り羽根と平行に配置されたレンズと、
前記絞り羽根及び前記レンズを内面に保持する鏡筒と
を備え、
前記羽根室は、前記羽根室内の熱を前記鏡筒の内部空間に逃がすための通気穴を有する
レンズ鏡筒。
【請求項５】
請求項４に記載のレンズ鏡筒において、
前記通気穴は、前記開口部を通過する光の光軸に対して垂直な方向に設けられ、
前記鏡筒は、少なくとも前記通気穴と対向する位置に、前記鏡筒の内外の空気を流通させる流通口を有する
レンズ鏡筒。
【請求項６】
光源からの光を通過させるための開口部が形成された絞りベースと、
前記開口部を通過する光の光軸に直交する方向に移動可能に設けられ、前記開口部よりも小さい絞り開口を形成するための絞り羽根と、
前記絞り羽根を移動させて前記絞り開口の開口量を増減させる絞り羽根駆動手段と、
前記絞りベースとの間に前記絞り羽根を収容した羽根室を形成する絞りカバーと、
前記絞り羽根と平行に配置されたレンズと、
前記絞り羽根及び前記レンズを内面に保持する鏡筒と
を備え、
前記羽根室は、前記羽根室内の熱を前記鏡筒の内部空間に逃がすための通気穴を有する
投影装置。
【発明の詳細な説明】
【技術分野】
【０００１】
本発明は、絞り羽根を移動させて絞り開口の開口量を増減させる光量調整装置、レンズ鏡筒、及び投影装置に関する。
【背景技術】
【０００２】
従来から、リフレクタに支持されたランプ等によって構成された光源部と、映像を形成するための画像形成部と、映像を投影するレンズ等によって構成された投影部（レンズ鏡筒）とを備えた液晶プロジェクタ（投影装置）が知られている。そして、このような液晶プロジェクタは、投影部に設けられた絞り羽根（光量調整装置）によって映像光を絞ることにより、コントラストを上げることができるようになっている。
【０００３】
図１２は、従来の液晶プロジェクタ用のレンズ鏡筒４００を示す光軸４０１方向の断面図である。
図１２に示すように、レンズ鏡筒４００は、光量調整装置４１０と、光源側に配置されたレンズ４２０と、投影側に配置されたレンズ４３０と、光量調整装置４１０及びレンズ４２０，４３０を内面に保持する鏡筒４４０とを備えている。
【０００４】
ここで、光量調整装置４１０は、上下一対の絞り羽根４１２，４１３を備えている。この絞り羽根４１２，４１３は、絞りベース４１１と絞りカバー４１５とによって形成された羽根室４１８内に収容されている。そして、絞り羽根駆動モータ４１４によって絞り羽根４１２，４１３を相互に移動させることにより、絞り開口４１６の開口量を増減させることができる。
【０００５】
このような光量調整装置４１０において、絞り羽根４１２，４１３を絞ってコントラストを上げると、入射側面４１２ａ，４１３ａで受ける光量が増え、絞り羽根４１２，４１３が高温になる。高温になった絞り羽根４１２，４１３の熱は、羽根室４１８内に放熱されるとともに、羽根室４１８の外に出ている出射側面４１２ｂ，４１３ｂから鏡筒４４０の内部空間に逃がされる。
【０００６】
しかし、出射側面４１２ｂ，４１３ｂからの放熱だけでは不十分なため、入射側面４１２ａ，４１３ａで受ける光量に応じて羽根室４１８内が次第に高温になる。そして、羽根室４１８内が高温になれば、絞り羽根４１２，４１３から羽根室４１８内への放熱ができなくなり、絞り羽根４１２，４１３の温度が上昇する。
【０００７】
この絞り羽根４１２，４１３は、一般に合成樹脂によって形成されているので、絞り羽根４１２，４１３の温度が合成樹脂の耐熱限界を越えるようになると、絞り羽根４１２，４１３が変形等してしまう。そのため、入射側面４１２ａ，４１３ａで受ける光量が所定の範囲内となるように、絞り羽根４１２，４１３の絞り量が制限されている。その結果、映像光を絞ってコントラストを向上させるには、一定の限界があった。
【０００８】
そこで、合成樹脂製の絞り羽根４１２，４１３の入射側面４１２ａ，４１３ａに、金属製の耐熱板を取り付けるようにした技術が知られている。この技術によれば、絞り羽根４１２，４１３を合成樹脂製として作動の円滑性、静音性、耐久性等を確保するとともに、金属製の耐熱板によって耐熱性を向上させることができる。
【先行技術文献】
【特許文献】
【０００９】
【特許文献１】特開２００９−２３７２９５号公報
【発明の概要】
【発明が解決しようとする課題】
【００１０】
しかし、上記の特許文献１の技術では、金属製の耐熱板によって絞り羽根の重量が増加するので、絞り羽根を円滑に作動させるために、大きな駆動力が必要となる。また、新たに耐熱板を取り付けるための工程が必要となるので、製造工程の複雑化やコスト増を招くこととなる。
【００１１】
したがって、本発明が解決しようとする課題は、耐熱板を取り付けることなく絞り羽根の絞り量を大きくできるようにし、コントラストの向上を可能とすることである。
【課題を解決するための手段】
【００１２】
本発明は、以下の解決手段により、上述の課題を解決する。
請求項１に記載の発明は、光源からの光を通過させるための開口部が形成された絞りベースと、前記開口部を通過する光の光軸に直交する方向に移動可能に設けられ、前記開口部よりも小さい絞り開口を形成するための絞り羽根と、前記絞り羽根を移動させて前記絞り開口の開口量を増減させる絞り羽根駆動手段と、前記絞りベースとの間に前記絞り羽根を収容した羽根室を形成する絞りカバーとを備え、前記羽根室は、前記羽根室内の熱を外部に逃がすための通気穴を有する光量調整装置である。
【００１３】
また、請求項４に記載の発明は、請求項１に記載の発明と同様の絞りベース、絞り羽根、絞り羽根駆動手段、及び絞りカバーと、前記絞り羽根と平行に配置されたレンズと、前記絞り羽根及び前記レンズを内面に保持する鏡筒とを備え、前記羽根室は、前記羽根室内の熱を前記鏡筒の内部空間に逃がすための通気穴を有するレンズ鏡筒である。
さらにまた、請求項６に記載の発明は、請求項４に記載の発明と同様の絞りベース、絞り羽根、絞り羽根駆動手段、絞りカバー、レンズ、及び鏡筒を備え、請求項４に記載の発明と同様の通気穴を有する投影装置である。
【００１４】
（作用）
上記の請求項１、請求項４、及び請求項６に記載の発明は、絞り羽根を収容した羽根室内の熱を外部（鏡筒の内部空間）に逃がすための通気穴を有している。そのため、絞り羽根の熱は、羽根室内から通気穴を通って外部に逃げるようになり、絞り羽根の温度上昇が抑制される。
【発明の効果】
【００１５】
本発明によれば、通気穴からの放熱によって絞り羽根の温度上昇が抑制されるので、絞り羽根の絞り量を大きくすることができる。その結果、投影装置のコントラストを向上させることができる。
【図面の簡単な説明】
【００１６】
【図１】本発明の投影装置の一実施形態としての、液晶プロジェクタにおける光学ユニットを示す側面図である。
【図２】図１に示す光学ユニットの画像形成部の周辺部を示す側面図である。
【図３】本発明の投影装置の一実施形態としての、液晶プロジェクタの構成を示す概念図である。
【図４】本発明のレンズ鏡筒の一実施形態としての、液晶プロジェクタ用のレンズ鏡筒（第１の実施の形態）の光軸方向の半分を示す斜視図である。
【図５】図４に示すレンズ鏡筒の光量調整装置の構成を示す分解斜視図である。
【図６】図５に示す光量調整装置において、絞り羽根を開いた状態を示す正面図である。
【図７】図５に示す光量調整装置において、絞り羽根を絞った状態を示す正面図である。
【図８】本発明のレンズ鏡筒の一実施形態としての、液晶プロジェクタ用のレンズ鏡筒（第１の実施の形態）を示す光軸方向の断面図である。
【図９】本発明のレンズ鏡筒の一実施形態としての、液晶プロジェクタ用のレンズ鏡筒（第２の実施の形態）を示す光軸方向の断面図である。
【図１０】本発明のレンズ鏡筒の一実施形態としての、液晶プロジェクタ用のレンズ鏡筒（第３の実施の形態）の光軸方向の半分を示す斜視図である。
【図１１】本発明のレンズ鏡筒の一実施形態としての、液晶プロジェクタ用のレンズ鏡筒（第３の実施の形態）を示す光軸方向の断面図である。
【図１２】従来の液晶プロジェクタ用のレンズ鏡筒を示す光軸方向の断面図である。
【発明を実施するための形態】
【００１７】
以下、図面を参照して、本発明を実施するための形態について説明する。
ここで、本発明における投影装置は、以下の実施の形態では、液晶プロジェクタ１０であるとする。また、本発明におけるレンズ鏡筒は、以下の実施の形態では、液晶プロジェクタ１０用のレンズ鏡筒１００，２００，３００であるとする。さらにまた、本発明における光量調整装置は、以下の実施の形態では、レンズ鏡筒１００，２００，３００に設けられた光量調整装置１１０，２１０，３１０であるとする。
なお、説明は、以下の順序で行う
１．第１の実施の形態（レンズ鏡筒：通気穴の構成例）
２．第２の実施の形態（レンズ鏡筒：強制冷却手段を備えた構成例）
３．第３の実施の形態（レンズ鏡筒：鏡筒に流通口を備えた構成例）
【００１８】
［投影装置の構成例］
図１は、本発明の投影装置の一実施形態としての、液晶プロジェクタ１０における光学ユニット２０を示す側面図である。
また、図２は、図１に示す光学ユニット２０の画像形成部４０の周辺部を示す側面図である。
さらにまた、図３は、本発明の投影装置の一実施形態としての、液晶プロジェクタ１０の構成を示す概念図である。
図１から図３に示すように、本実施形態の液晶プロジェクタ１０における光学ユニット２０は、光源部３０、画像形成部４０、及び投影部５０を備えている。
【００１９】
ここで、光源部３０は、ランプ３１、リフレクタ３２、及び防護ガラス３３を備えている。
ランプ３１は、赤色光（Ｒ光）、緑色光（Ｇ光）、及び青色光（Ｂ光）を含む無偏光の白色光を出射するメタルハライドランプ、キセノンランプ、ハロゲンランプ等であって、従来公知のさまざまなランプを用いることができる。そして、ランプ３１から出射された白色光は、リフレクタ３２によって反射されて平行光となり、防護ガラス３３から出射される。
【００２０】
また、画像形成部４０は、フライアイレンズ３４ａ，３４ｂと、ＰＳ変換素子３５と、コンデンサレンズ３６とを含んで構成される。
フライアイレンズ３４ａ，３４ｂは、防護ガラス３３から離間した位置に一対で配置されており、防護ガラス３３からの出射光の輝度分布を均一にする。ＰＳ変換素子３５は、短冊状に配列された偏光ビームスプリッタと、これに対応して間欠的に設けられた位相差板とからなり、偏光方向の変換を行う。そのため、コンデンサレンズ３６から出射される光は、所定の偏光（例えば、ｐ偏光）に揃えられた平行光となって画像形成部４０に入射する。
【００２１】
さらにまた、画像形成部４０は、クロスダイクロイックミラー４１、反射ミラー４２ａ，４２ｂ、及びダイクロイックミラー４３を備えている。
コンデンサレンズ３６から出射された白色光は、クロスダイクロイックミラー４１により、短波長側の青色の波長領域の光（Ｂ光）と、長波長側の赤色及び緑色の波長領域の光（Ｒ光＋Ｇ光）とに分離される。そして、Ｂ光は、反射ミラー４２ａによって反射され、Ｒ光＋Ｇ光は、反射ミラー４２ｂによって反射される。さらに、Ｒ光＋Ｇ光の中の短波長側のＧ光は、ダイクロイックミラー４３によって反射され、長波長側のＲ光は、ダイクロイックミラー４３を透過する。そのため、ダイクロイックミラー４３によってＧ光とＲ光とが分離される。
【００２２】
さらに、画像形成部４０は、偏光素子４４Ｒ，４４Ｇ，４４Ｂと、反射型の液晶パネル４５Ｒ，４５Ｇ，４５Ｂと、スペーサプレート４６と、クロスダイクロイックプリズム４７とを含んで構成される。そして、偏光素子４４Ｒ，４４Ｇ，４４Ｂ及び反射型の液晶パネル４５Ｒ，４５Ｇ，４５Ｂは、スペーサプレート４６の側面に固定され、スペーサプレート４６は、クロスダイクロイックプリズム４７の上下面に固定されている。
【００２３】
偏光素子４４Ｒは、ダイクロイックミラー４３を透過したｐ偏光であるＲ光を透過して液晶パネル４５Ｒに入射させる。赤色の画像情報を表示する液晶パネル４５Ｒは、Ｒ光に対応する映像信号を印加し、Ｒ光の偏光方向を回転させて変調出力する。液晶パネル４５Ｒで空間変調され、ｓ偏光に変換されたＲ光は、偏光素子４４Ｒによって反射され、クロスダイクロイックプリズム４７に入射する。
【００２４】
同様に、偏光素子４４Ｇは、ダイクロイックミラー４３で反射されたｐ偏光であるＧ光を透過して液晶パネル４５Ｇに入射させる。緑色の画像情報を表示する液晶パネル４５Ｇは、Ｇ光に対応する映像信号を印加し、Ｇ光の偏光方向を回転させて変調出力する。液晶パネル４５Ｇで空間変調され、ｓ偏光に変換されたＧ光は、偏光素子４４Ｇによって反射され、クロスダイクロイックプリズム４７に入射する。
【００２５】
同様に、偏光素子４４Ｂは、クロスダイクロイックミラー４１で分離され、反射ミラー４２ａで反射されたｐ偏光であるＢ光を透過して液晶パネル４５Ｂに入射させる。青色の画像情報を表示する液晶パネル４５Ｂは、Ｂ光に対応する映像信号を印加し、Ｂ光の偏光方向を回転させて変調出力する。液晶パネル４５Ｂで空間変調され、ｓ偏光に変換されたＢ光は、偏光素子４４Ｂによって反射され、クロスダイクロイックプリズム４７に入射する。
【００２６】
クロスダイクロイックプリズム４７は、入射したＲ光、Ｇ光、及びＢ光を１つの映像光として合成し、投影部５０に導く。そして、投影部５０に導かれた映像光は、レンズ鏡筒１００を介してスクリーンに拡大投影される。
なお、このような液晶プロジェクタ１０は、比較的拡大率の小さいビジネス用だけでなく、拡大率が大きいホール用やシアタ用にも適用できる。
【００２７】
＜１．第１の実施の形態＞
［レンズ鏡筒の構成例］
図４は、本発明のレンズ鏡筒の一実施形態としての、液晶プロジェクタ１０（図３参照）用のレンズ鏡筒１００（第１の実施の形態）の光軸１０１方向の半分を示す斜視図である。
図４に示すように、レンズ鏡筒１００は、光量調整装置１１０と、光源側に配置されたレンズ１２０と、投影側に配置されたレンズ１３０と、鏡筒１４０とを備えている。
【００２８】
ここで、第１の実施の形態の光量調整装置１１０は、絞りベース１１１と、上下一対の絞り羽根１１２，１１３（第１の実施の形態では、合成樹脂製）と、絞り羽根駆動モータ１１４（本発明の絞り羽根駆動手段に相当）と、絞りカバー１１５とを備えている。また、絞りベース１１１と絞りカバー１１５との間には、絞り羽根１１２，１１３を収容する羽根室１１８が形成され、羽根室１１８には、通気穴１１９が設けられている。そして、光量調整装置１１０及びレンズ１２０，１３０が鏡筒１４０の内面に保持され、絞り羽根１１２，１１３とレンズ１２０，１３０とが平行に配置されている。
なお、第１の実施の形態では、２枚の絞り羽根１１２，１１３を使用しているが、絞り羽根は、１枚であっても、３枚以上であってもよい。
【００２９】
ここで、絞りベース１１１には、クロスダイクロイックプリズム４７（図３参照）からの映像光を通過させるための開口部１１１ａが形成されている。そして、絞り羽根１１２，１１３は、開口部１１１ａを通過する光の光軸１０１に直交する方向に上下に往復移動可能に設けられ、絞り羽根駆動モータ１１４によって互いに反対方向に移動する。そのため、絞り羽根１１２と絞り羽根１１３との間の絞り開口１１６の開口量を増減させることができ、図４に示す状態では、開口部１１１ａよりも小さい絞り開口１１６が形成されている。
【００３０】
図５は、図４に示すレンズ鏡筒１００の光量調整装置１１０の構成を示す分解斜視図である。
図５に示すように、光量調整装置１１０は、絞り羽根１１２，１１３、絞り羽根駆動モータ１１４、絞りカバー１１５、及び絞り羽根駆動アーム１１７を備えている。
なお、光量調整装置１１０は、絞りベース１１１（図４参照）も備えているが、図５では、図示を省略している。
【００３１】
ここで、絞りカバー１１５は、光軸１０１に対して垂直な方向に配置されており、図４に示す絞りベース１１１の開口部１１１ａに対応する円状の開口部１１５ａが形成されている。そのため、クロスダイクロイックプリズム４７（図３参照）からの映像光は、開口部１１５ａを通過した後に、絞り羽根１１２，１１３に到達することとなる。また、絞りカバー１１５には、４つのガイドピン１１５ｂが一体成形されている。さらにまた、凸状のレール１１５ｃが２列に設けられている。
【００３２】
また、絞り羽根１１２は、ガイドピン１１５ｂを挿入するためのガイド穴１１２ａを有しており、絞り羽根１１３は、同様のガイド穴１１３ａを有している。そのため、絞り羽根１１２，１１３は、ガイド穴１１２ａ，１１３ａにガイドピン１１５ｂを挿入することにより、絞りカバー１１５にそれぞれ独立に取り付けられることとなる。さらに、絞り羽根１１２，１１３は、長穴に形成されたガイド穴１１２ａ，１１３ａにより、レール１１５ｃ上で摩擦力が低減されながら、光軸１０１に対して垂直な方向に往復移動できるようになる。
【００３３】
さらにまた、絞り羽根駆動モータ１１４は、絞りカバー１１５にビス締結や接着等によって固定される。そして、絞り羽根駆動モータ１１４の回転軸に絞り羽根駆動アーム１１７が取り付けられ、絞り羽根駆動アーム１１７の両端部には、駆動ピン１１７ａ，１１７ｂが一体成形されている。そして、駆動ピン１１７ａが絞り羽根１１２のカム穴１１２ｂにはまり込み、駆動ピン１１７ｂが絞り羽根１１３のカム穴１１３ｂにはまり込む。
【００３４】
このカム穴１１２ｂ，１１３ｂは、絞り羽根駆動アーム１１７の正逆回転を絞り羽根１１２，１１３の往復移動に変換する。そのため、絞り羽根駆動モータ１１４によって絞り羽根駆動アーム１１７を正逆回転させれば、絞り羽根駆動モータ１１４の駆動力がカム穴１１２ｂ，１１３ｂに伝達され、絞り羽根１１２，１１３が互いに逆向きに往復移動するようになる。そして、絞り羽根１１２，１１３は、ガイドピン１１５ｂに案内されながら開口部１１５ａに出入りする。
【００３５】
図６は、図５に示す光量調整装置１１０において、絞り羽根１１２，１１３を開いた状態を示す正面図である。
また、図７は、図５に示す光量調整装置１１０において、絞り羽根１１２，１１３を絞った状態を示す正面図である。
【００３６】
ランプ３１（図３参照）が点灯していないときは、絞り羽根１１２，１１３が羽根室１１８（図４参照）内に完全に収納され、図６に示すように、開口部１１５ａが全開する。具体的には、絞り羽根駆動モータ１１４によって絞り羽根駆動アーム１１７が反時計回りに回転し、絞り羽根１１２を絞りカバー１１５の上方に移動させるとともに、絞り羽根１１３を絞りカバー１１５の下方に移動させる。そのため、絞り羽根１１２，１１３が開いた状態となり、開口部１１５ａが全開する。
【００３７】
次に、図７に示すような絞り羽根１１２，１１３を絞った状態とするには、絞り羽根駆動モータ１１４によって絞り羽根駆動アーム１１７を時計回りに回転させる。これにより、絞り羽根１１２が絞りカバー１１５の下方に移動するとともに、絞り羽根１１３が絞りカバー１１５の上方に移動する。その結果、絞りカバー１１５の開口部１１５ａ（図６参照）よりも小さい絞り開口１１６が形成され、絞り開口１１６によって映像光が絞られるので、コントラストを向上させることができる。
なお、このような絞り開口１１６の形成は、投影中に自動的に行うこともできる。また、第１の実施の形態では、２枚の絞り羽根１１２，１１３によって２段階の絞りを実現しているが、３枚の絞り羽根によって無段階に調整可能な絞りとすることもできる。
【００３８】
図８は、本発明のレンズ鏡筒の一実施形態としての、液晶プロジェクタ１０（図３参照）用のレンズ鏡筒１００（第１の実施の形態）を示す光軸１０１方向の断面図である。
図８に示す状態は、絞り羽根１１２，１１３を絞った状態であり、絞り羽根１１２，１１３によって絞りカバー１１５の開口部１１５ａ（図６参照）よりも小さい絞り開口１１６が形成されている。そのため、絞り羽根１１２，１１３は、入射側面１１２ａ，１１３ａで映像光を受けることとなる。
【００３９】
このように、入射側面１１２ａ，１１３ａが強力な映像光に長時間さらされると、映像光によって絞り羽根１１２，１１３が高温になる。高温になった絞り羽根１１２，１１３の熱は、絞り羽根１１２，１１３を収容する羽根室１１８内に放熱されるとともに、羽根室１１８の外に出ている出射側面１１２ｂ，１１３ｂから鏡筒１４０の内部空間に逃がされる。
しかし、出射側面１１２ｂ，１１３ｂからの放熱だけでは不十分なため、入射側面１１２ａ，１１３ａで受ける光量に応じて羽根室１１８内の温度が上昇する。
【００４０】
ここで、羽根室１１８（１１８ａ，１１８ｂ）を形成する絞りベース１１１と絞りカバー１１５との間には、光軸１０１に対して垂直な方向に通気穴１１９（１１９ａ，１１９ｂ）が設けられている。そのため、下方の羽根室１１８ｂ内には、通気穴１１９ｂから鏡筒１４０の内部空間に存在する比較的低温の空気が入り、絞り羽根１１３の熱を奪う。また、この羽根室１１８ｂ内の空気は、絞りベース１１１及び絞りカバー１１５と絞り羽根１１３との隙間から鏡筒１４０の内部空間に放出される。
【００４１】
同様に、上方の羽根室１１８ａ内には、絞りベース１１１及び絞りカバー１１５と絞り羽根１１２との隙間から鏡筒１４０の内部空間に存在する比較的低温の空気が入り、絞り羽根１１２の熱を奪う。また、この羽根室１１８ａ内の空気は、通気穴１１９ａから鏡筒１４０の内部空間に放出される。
なお、第１の実施の形態では、通気穴１１９（１１９ａ，１１９ｂ）を光軸１０１に対して垂直な方向に設けているが、光軸１０１に対して平行な方向に設けることもできる。その場合の通気穴は、例えば、絞りベース１１１の絞り羽根１１２，１１３との平行面に設ける。
【００４２】
このように、第１の実施の形態のレンズ鏡筒１００は、羽根室１１８ａ，１１８ｂ内の熱を通気穴１１９ａ，１１９ｂから外部に逃がすことができる。そのため、合成樹脂製の絞り羽根１１２，１１３を絞ることにより、入射側面１１２ａ，１１３ａで受ける光量が増加しても、絞り羽根１１２，１１３が効率的に冷却されるので、合成樹脂の耐熱限界を越えることはない。その結果、合成樹脂製の絞り羽根１１２，１１３による円滑な応答性及び静音性を確保しつつ、絞り量を従来よりも増加させることができるので、コントラストの向上が可能となる。
なお、絞り羽根１１２，１１３が合成樹脂製であることにより、静音性等の点で優れるが、絞り羽根は、金属製であってもよい。
【００４３】
＜２．第２の実施の形態＞
［レンズ鏡筒の構成例］
図９は、本発明のレンズ鏡筒の一実施形態としての、液晶プロジェクタ１０（図３参照）用のレンズ鏡筒２００（第２の実施の形態）を示す光軸２０１方向の断面図である。
図９に示す第２の実施の形態のレンズ鏡筒２００は、図８に示す第１の実施の形態のレンズ鏡筒１００と同様に、光量調整装置２１０と、光源側に配置されたレンズ２２０と、投影側に配置されたレンズ２３０と、鏡筒２４０とを備えている。
【００４４】
また、光量調整装置２１０は、絞りベース２１１と、上下一対の絞り羽根２１２，２１３と、絞り羽根駆動モータ２１４（本発明の絞り羽根駆動手段に相当）と、絞りカバー２１５とを備えている。そして、絞りベース２１１と絞りカバー２１５とによって羽根室２１８が形成され、羽根室２１８には、光軸２０１に対して垂直な方向に通気穴２１９が設けられている。
【００４５】
さらに、第２の実施の形態のレンズ鏡筒２００は、光量調整装置２１０に、強制冷却ファン２５０（本発明の強制冷却手段に相当）が取り付けられている。この強制冷却ファン２５０は、羽根室２１８内の熱を強制的に外部に逃がすことができる。そのため、絞り羽根２１２，２１３が絞られて入射側面２１２ａ，２１３ａで受ける光量が増加しても、絞り羽根２１２，２１３の熱は、羽根室２１８内から鏡筒２４０の内部空間に強制的に放出される。その結果、絞り羽根２１２，２１３をより一層効率的に冷却できるようになる。
なお、第２の実施の形態では、強制冷却ファン２５０を鏡筒２４０の内部に設置してレンズ鏡筒２００の大型化を回避しているが、鏡筒２４０の外に設置してもよい。
【００４６】
＜３．第３の実施の形態＞
［レンズ鏡筒の構成例］
図１０は、本発明のレンズ鏡筒の一実施形態としての、液晶プロジェクタ１０（図３参照）用のレンズ鏡筒３００（第３の実施の形態）の光軸３０１方向の半分を示す斜視図である。
また、図１１は、本発明のレンズ鏡筒の一実施形態としての、液晶プロジェクタ１０用のレンズ鏡筒３００（第３の実施の形態）を示す光軸３０１方向の断面図である。
【００４７】
図１０及び図１１に示す第３の実施の形態のレンズ鏡筒３００は、図８に示す第１の実施の形態のレンズ鏡筒１００と同様に、光量調整装置３１０と、光源側に配置されたレンズ３２０と、投影側に配置されたレンズ３３０と、鏡筒３４０とを備えている。そして、光量調整装置３１０及びレンズ３２０，３３０は、それぞれ鏡筒３４０の内面に保持されている。
【００４８】
また、光量調整装置３１０は、絞りベース３１１と、上下一対の絞り羽根３１２，３１３と、絞り羽根駆動モータ３１４（本発明の絞り羽根駆動手段に相当）と、絞りカバー３１５とを備えている。そして、絞りベース３１１と絞りカバー３１５とによって羽根室３１８が形成され、羽根室３１８には、光軸３０１に対して垂直な方向に通気穴３１９が設けられている。
【００４９】
ここで、第３の実施の形態のレンズ鏡筒３００では、通気穴３１９と対向する位置の鏡筒３４０に、流通口３４１，３４２が形成されている。そのため、流通口３４１，３４２から羽根室３１８に低温の外気が流入し、絞り羽根３１２，３１３の熱を奪う。さらに、羽根室３１８内で高温となった空気は、流通口３４１，３４２から大気中に放出される。その結果、絞り羽根３１２，３１３をより一層効率的に冷却できるようになる。
【００５０】
また、流通口３４１，３４２は、鏡筒３４０に元々設けられているズームガイド穴を利用しているので、新たな穴を設ける必要がない。言いかえれば、ズームガイド穴が流通口３４１，３４２として機能するように、ズームガイド穴と通気穴３１９とが対向する位置に光量調整装置３１０を取り付けている。そのため、レンズ鏡筒３００の製造コストを上げることなく冷却能力を向上させることができる。
なお、鏡筒３４０に穴を開け、羽根室３１８内の熱を強制的に外部に逃がす強制冷却ファン（強制冷却手段）を鏡筒３４０の下に設置してもよい。鏡筒３４０の中に強制冷却ファンを入れると像が揺れる可能性があるが、鏡筒３４０の外とすることにより、このような問題の発生を回避できる。
【００５１】
以上、本発明の実施形態について説明したが、本発明は、上述した実施形態に限定されることなく、以下のような種々の変形が可能である。例えば、
（１）実施形態では、通気穴１１９を光軸１０１に対して垂直な方向に設けたが、これに限らず、羽根室１１８内の熱が外部に逃げるような位置、形状等であればよい。
【００５２】
（２）実施形態では、２枚の絞り羽根１１２，１１３を備えるようにしているが、絞り羽根は、１枚であっても、３枚以上であってもよい。
また、実施形態では、絞り羽根１１２，１１３により、開口部１１５ａの全開状態と絞り開口１１６の形成状態との２段階で開口量を増減させている。しかし、これに限らず、映像光の強さ等に応じて、連続的に開口量を増減するようにしてもよい。
【符号の説明】
【００５３】
１０  液晶プロジェクタ（投影装置）
１００  レンズ鏡筒
１１０  光量調整装置
１１１  絞りベース
１１１ａ  開口部
１１２，１１３  絞り羽根
１１４  絞り羽根駆動モータ（絞り羽根駆動手段）
１１５  絞りカバー
１１６  絞り開口
１１８  羽根室
１１９  通気穴
２００  レンズ鏡筒
２１０  光量調整装置
２１１  絞りベース
２１２，２１３  絞り羽根
２１４  絞り羽根駆動モータ（絞り羽根駆動手段）
２１５  絞りカバー
２１８  羽根室
２１９  通気穴
２５０  強制冷却ファン（強制冷却手段）
３００  レンズ鏡筒
３１０  光量調整装置
３１１  絞りベース
３１２，３１３  絞り羽根
３１４  絞り羽根駆動モータ（絞り羽根駆動手段）
３１５  絞りカバー
３１８  羽根室
３１９  通気穴
３４１，３４２  流通口
【図１】
2011221358.tif 000003
【図２】
2011221358.tif 000004
【図３】
2011221358.tif 000005
【図４】
2011221358.tif 000006
【図５】
2011221358.tif 000007
【図６】
2011221358.tif 000008
【図７】
2011221358.tif 000009
【図８】
2011221358.tif 000010
【図９】
2011221358.tif 000011
【図１０】
2011221358.tif 000012
【図１１】
2011221358.tif 000013
【図１２】
2011221358.tif 000014